(57)【要約】【課題】患者（使用者）が、介護施設等で日常を過ごしている際に、患者の居場所の移動に伴って、移動後の場所で透析動作をスムーズに再開することができる可搬型腹膜透析装置を提供する。【解決手段】可搬型腹膜透析装置１００は、搬送可能で透析を行うための可搬型腹膜透析装置であって、可搬型腹膜透析装置１００を、搬送装置である可搬型腹膜透析装置用カート１により搬送する際に、可搬型腹膜透析装置１００における商用交流電源の供給を絶つと可搬型腹膜透析装置１００の動作を一時停止し、可搬型腹膜透析装置１００における商用交流電源の供給を再開すると可搬型腹膜透析装置１００の動作を再開する構成である。【選択図】図９
2015100557.tif 000002
【特許請求の範囲】
【請求項１】
搬送装置により搬送可能とされ、透析を行うための可搬型腹膜透析装置であって、
前記可搬型腹膜透析装置を、搬送装置に載せて搬送する際には、前記可搬型腹膜透析装置における商用交流電源の供給を絶つと前記可搬型腹膜透析装置の動作を一時停止し、前記可搬型腹膜透析装置における商用交流電源の供給を再開すると前記可搬型腹膜透析装置の動作を前記一時停止の際の状態から、再開できるようにした構成とした
ことを特徴とする可搬型腹膜透析装置。
【請求項２】
前記可搬型腹膜透析装置は、前記搬送装置による搬送が行われた場合に、前記商用交流電源の供給停止時の透析パターンにおける中断状態を記憶して透析を一時停止し、再び前記商用交流電源の供給が行われた時に前記一時停止の際の状態から、再開する搬送モード運転を行う構成としたことを特徴とする請求項１の可搬型腹膜透析装置。
【請求項３】
前記可搬型腹膜透析装置は、前記搬送モード運転を開始させるための手動のスイッチを備えることを特徴とする請求項２の可搬型腹膜透析装置。
【請求項４】
前記可搬型腹膜透析装置は、前記搬送モード運転の開始の必要を自動的に判断するための手段を備えることを特徴とする請求項２または３の可搬型腹膜透析装置。
【請求項５】
表示部を備え、前記表示部には、前記可搬型腹膜透析装置における前記商用交流電源の供給を絶つと、前記商用交流電源が供給されていないことを報知する内容を表示し、前記表示部には、前記可搬型腹膜透析装置における前記商用交流電源の供給を再開すると、前記商用交流電源が供給されていることを報知する内容を表示する構成としたことを特徴とする請求項１ないし４のいずれかに記載の可搬型腹膜透析装置。
【請求項６】
前記可搬型腹膜透析装置は、スピーカを備え、前記スピーカは、前記商用交流電源が供給されていないことを報知する内容を前記表示部に表示する際に、前記商用交流電源が供給されていないことを音声で通知し、前記商用交流電源が供給されていることを報知する内容を前記表示部に表示する際に、前記商用交流電源が供給されていることを音声で通知する構成としたことを特徴とする請求項５に記載の可搬型腹膜透析装置。
【請求項７】
前記搬送装置は、前記可搬型腹膜透析装置を載せる載置部を備え、前記可搬型腹膜透析装置の底部には、突起部が設けられ、前記載置部には、位置決め用の穴部が設けられており、前記可搬型腹膜透析装置を前記載置部に載せると、前記可搬型腹膜透析装置の前記突起部が、前記載置部の前記位置決め用の穴部にはまりこむことを特徴とする請求項１ないし６のいずれかに記載の可搬型腹膜透析装置。
【請求項８】
前記可搬型腹膜透析装置は前記商用交流電源に接続する電源コードを有し、前記搬送装置には、前記電源コードを保持する電源コード保持部材が設けられていることを特徴とする請求項１ないし７のいずれかに記載の可搬型腹膜透析装置。
【発明の詳細な説明】
【技術分野】
【０００１】
本発明は、その都度載置場所を移動して使用することができる可搬型腹膜透析装置に関する。
【背景技術】
【０００２】
例えば、腎臓の機能の低下により血液透析を受ける必要がある患者は、週に３，４回通院して、血液透析装置により４，５時間も拘束されながら血液透析を受けている。このため、患者の利便性の観点から、患者が入所している介護施設等や自宅に可搬型腹膜透析装置を配置して、介護施設等の職員や患者自らが腹膜透析装置を操作するようになってきている。
【先行技術文献】
【特許文献】
【０００３】
【特許文献１】特開２００９−１１６６７号公報
【発明の概要】
【発明が解決しようとする課題】
【０００４】
通常、自動腹膜透析装置は夜間就寝中に使用されることが多いが、チューブ閉塞等のアラーム発生時に就寝中のため患者自らが対処できず、また夜間の職員が少なかったりするために、スムースに対応出来ない場合がある。そのため介護施設等では日中に自動腹膜透析装置を稼働させることが増えている。  例えば介護施設に入所している患者は、必要に応じて腹膜透析装置が載置されている場所に移動して透析を行う。通常の腹膜透析装置は１０ｋｇ前後の重さがある重量物であるので、腹膜透析装置を移動しないで腹膜透析装置を収容棚に載置した据え置きの状態で用いる。このため、患者が透析中は、患者は腹膜透析装置が載置されている場所から離れて移動することが容易ではない。
【０００５】
従って、患者が透析中は、患者は食事やレクリエーションのために、腹膜透析装置が載置されている場所からリビング等に場所を移動することができず、腹膜透析装置の載置場所に拘束されてしまう。このため、介護施設等の職員や患者にとって、腹膜透析装置の使用勝手が悪く、患者のストレスを招くおそれがある。
そこで、本発明は、患者（使用者）が、介護施設等で日常を過ごしている際に、患者の居場所の移動に伴って、移動後の場所で透析動作をスムーズに再開することができ、患者のＱＯＬを向上できる可搬型腹膜透析装置を提供することを目的とする。
【課題を解決するための手段】
【０００６】
本発明の可搬型腹膜透析装置は、搬送装置により搬送可能とされ、透析を行うための可搬型腹膜透析装置であって、前記可搬型腹膜透析装置を、搬送装置に載せて搬送する際には、前記可搬型腹膜透析装置における商用交流電源の供給を絶つと前記可搬型腹膜透析装置の動作を一時停止し、前記可搬型腹膜透析装置における商用交流電源の供給を再開すると前記可搬型腹膜透析装置の動作を前記一時停止の際の状態から、再開できるようにした構成としたことを特徴とする。
上記構成によれば、可搬型腹膜透析装置を、搬送装置に載せて搬送する際に商用交流電源の供給を絶つと可搬型腹膜透析装置の動作を一時停止し、商用交流電源の供給を再開すると可搬型腹膜透析装置の動作を再開するようになっているので、移動する際には可搬型腹膜透析装置の動作を一時的に停止させて透析を中断させ、移動後は、可搬型腹膜透析装置を動作させる商用交流電源の供給を確実に行って可搬型腹膜透析装置の動作を再開することができる。従って、患者（使用者）が、介護施設等で日常を過ごしている際に、患者の居場所の移動に伴って、移動後の場所で透析動作をスムーズに再開することができる。
【０００７】
好ましくは、前記可搬型腹膜透析装置は、前記搬送装置による搬送が行われた場合に、前記商用交流電源の供給停止時の透析パターンにおける中断状態を記憶して透析を一時停止し、再び前記商用交流電源の供給が行われた時に前記一時停止の際の状態から、再開する搬送モード運転を行う構成としたことを特徴とする。
上記構成によれば、「可搬型腹膜透析装置」が「搬送モード運転」という特殊な動作シーケンスを備えることにより、装置の移動に対応して、透析運転の停止や再開をきわめて容易に行うことができる。
【０００８】
好ましくは、前記搬送モード運転を開始させるための手動のスイッチを備えることを特徴とする。
上記構成によれば、特殊な運転モードである「搬送モード運転」を行う必要があるときに、装置に明確な指示を与えることができる。
あるいはまた、好ましくは、前記搬送モード運転の開始の必要を自動的に判断するための手段を備えることを特徴とする。
上記構成によれば、特殊な運転モードである「搬送モード運転」を行う必要があるときは、装置がこれを判断するので、特に使用者等が特殊な操作を行わなくても「搬送モード運転」を行うことができる。
【０００９】
好ましくは、前記可搬型腹膜透析装置は、表示部を備え、前記表示部には、前記可搬型腹膜透析装置における前記商用交流電源の供給を絶つと、前記商用交流電源が供給されていないことを報知する内容を表示し、前記表示部には、前記可搬型腹膜透析装置における前記商用交流電源の供給を再開すると、前記商用交流電源が供給されていることを報知する内容を表示する構成としたことを特徴とする。
上記構成によれば、患者（使用者）が、介護施設等で日常を過ごしている際に、患者の居場所の移動があっても、可搬型腹膜透析装置の電源供給の有無を目視で確認でき、移動した後に透析動作を続けて行うことができる
【００１０】
好ましくは、前記可搬型腹膜透析装置は、スピーカを備え、前記スピーカは、前記商用交流電源が供給されていないことを報知する内容を前記表示部に表示する際に、前記商用交流電源が供給されていないことを音声で通知し、前記スピーカは、前記商用交流電源が供給されていることを報知する内容を前記表示部に表示する際に、前記商用交流電源が供給されていることを音声で通知する構成としたことを特徴とする。
上記構成によれば、患者（使用者）が、介護施設等で日常を過ごしている際に、患者の居場所の移動があっても、可搬型腹膜透析装置の電源供給の有無を音声で確認でき、移動した後に透析動作を続けて行うことができる
【００１１】
好ましくは、前記搬送装置は、前記可搬型腹膜透析装置を載せる載置部を備え、前記可搬型腹膜透析装置の底部には、突起部が設けられ、前記載置部には、位置決め用の穴部が設けられており、前記可搬型腹膜透析装置を前記載置部に載せると、前記可搬型腹膜透析装置の前記突起部が、前記載置部の前記位置決め用の穴部にはまりこむことを特徴とする。
上記構成によれば、可搬型腹膜透析装置を搬送装置の載置部に載せた状態で搬送する際に、可搬型腹膜透析装置が載置部上で位置ずれするのを防止できるので、可搬型腹膜透析装置を安全に搬送できる。
【００１２】
好ましくは、前記可搬型腹膜透析装置は前記商用交流電源に接続する電源コードを有し、前記搬送装置は、前記電源コードを保持する電源コード保持部材を備えることを特徴とする。
上記構成によれば、可搬型腹膜透析装置を搬送装置により搬送する際に、可搬型腹膜透析装置の電源コードを搬送装置の電源コード保持部材により保持することができるので、電源コードが搬送の際に邪魔になることがなく、スムーズに搬送できる。
【発明の効果】
【００１３】
本発明は、患者（使用者）が、介護施設等で日常を過ごしている際に、患者の居場所の移動に伴って、移動後の場所で透析動作をスムーズに再開することができる可搬型腹膜透析装置を提供することができる。
【図面の簡単な説明】
【００１４】
【図１】本発明の可搬型腹膜透析装置の好ましい実施形態を搭載した可搬型腹膜透析装置用カートの例を示す斜視図。
【図２】図１に示す可搬型腹膜透析装置を搭載した可搬型腹膜透析装置用カートを矢印Ｖ方向から見た斜視図。
【図３】図１に示す可搬型腹膜透析装置を搭載した可搬型腹膜透析装置用カートを矢印Ｓ方向から見た斜視図。
【図４】可搬型腹膜透析装置の底部と第２載置部の形状例を示す斜視図。
【図５】可搬型腹膜透析装置の構造例を示す斜視図。
【図６】可搬型腹膜透析装置の電気的な構成例を示すブロック図。
【図７】図７（Ａ）は、各チューブをまとめて保持している様子と、排液タンクＨＴと、第２載置部に載置されている可搬型腹膜透析装置等を示す斜視図であり、図７（Ｂ）は、第３載置部に載置されている排液タンクＨＴや、吊り下げられている透析液バッグＢＧ等を示す斜視図。
【図８】図８（Ａ）は、第１載置部には無菌接合装置等が載置され、第２載置部には可搬型の腹膜透析装置が載置されている載置例を示している。図８（Ｂ）は、第１載置部には可搬型腹膜透析装置が載置され、第２載置部には無菌接合装置等が載置されている載置例を示す図。
【図９】患者が患者自身の居室から、例えばリビングに移動する際に行う可搬型腹膜透析装置の操作例を示すフロー図。
【図１０】可搬型腹膜透析装置の表示部に表示される報知内容の例を示す図。
【図１１】可搬型腹膜透析装置用カートが、例えばリビングにおいて、患者の傍に位置された状態を示す図。
【発明を実施するための形態】
【００１５】
以下に、本発明の好ましい実施形態を、図面を参照して詳しく説明する。
尚、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。
図１は、本発明の可搬型腹膜透析装置の好ましい実施形態を搭載した可搬型腹膜透析装置用カートの例を示す斜視図である。図２は、図１に示す可搬型腹膜透析装置を搭載した可搬型腹膜透析装置用カートを矢印Ｖ方向から見た斜視図である。図３は、図１に示す可搬型腹膜透析装置を搭載した可搬型腹膜透析装置用カートを矢印Ｓ方向から見た斜視図である。
【００１６】
まず、図１ないし図３を参照して、本発明の実施形態の可搬型腹膜透析装置１００を搭載した可搬型腹膜透析装置用カート１の構造例を説明する。
図１ないし図３に示す可搬型腹膜透析装置用カート１は、可搬型腹膜透析装置１００を載置して搬送するための搬送装置の例であり、可搬型腹膜透析装置用カート１は、可搬型腹膜透析装置１００を載置するのに加えて、必要に応じて無菌接合装置２００等を載置して同時に搬送することができる。可搬型腹膜透析装置用カート１は、可搬型腹膜透析装置用キャリアあるいは可搬型腹膜透析装置用搬送装置等ともいう。
【００１７】
図１から図３に示す可搬型腹膜透析装置（自動腹膜透析装置）１００は、後で構造例を説明するが、腎臓の機能の低下により血液透析を受ける必要がある患者の利便性の観点から患者がいる介護施設等に配置して、介護施設等の職員や患者自身が操作して腹膜透析を行うためのものである。
図２と図３に示す可搬型腹膜透析装置１００は、例えば１０ｋｇ前後の重さがある。この可搬型腹膜透析装置１００を使用する場合には、患者の腹膜透析に関する臨床データとしての、尿量，排液量，残腎Ｋｔ／Ｖ，ＰＤ Ｋｔ／Ｖ（腹膜透析によるＫｔ／Ｖ），ＰＥＴ試験に基づくＣｒ Ｄ／Ｐ（血清中のクレアチニン濃度Ｐと腹膜透析排液中のクレアチニン濃度Ｄとの比）等を医師が診察し、その診察結果である処方に基づいた透析内容に従わなければならない。そこで、病院では、医師が処方内容を記載した書面あるいは処方条件を記憶した記憶カードを患者に渡し、患者は介護施設等に帰って、腹膜透析装置１００に対して処方どおりの内容を設定するかまたは記憶カード処方条件を腹膜透析装置（自動腹膜透析装置）１００の読取り部で読み取ることで、自動的に腹膜透析を受けるようにしている。
【００１８】
可搬型腹膜透析装置１００では、通常は商用電源（ＡＣ電源）を電源にし、その主要な動作部として、腹膜透析液バッグからの送液のためのチューブや、クランプ等送液の切換部、および送液の駆動力を与えるためのダイヤフラムポンプ、腹膜透析液の加温部等をひとまとめにセットし、チューブ一式を付帯するカセット及びチューブ一式を用いている。可搬型腹膜透析装置１００を用いての透析治療は、患者の腹腔内に透析液を所定量注液し、腹腔内に所定時間貯留して、腹膜を介して透析処理を受け、その後腹腔から排液を行うようにしており、この透析液の注液、貯留、排液により１サイクルの腹膜透析処理としている。
また、無菌接合装置２００は、腹膜灌流回路用の２本のチューブを加熱溶断してそして加圧接合する装置である。この無菌接合装置２００は、例えば腹膜透析液バッグの透析液チューブと、腹膜透析をする際に使用される患者の腹膜カテーテル側のチューブを溶断して、無菌状態で加圧して接合するのに用いられる。無菌接合装置２００は、可搬型腹膜透析装置１００よりも軽いがそれでも重量物である。
【００１９】
ここで、可搬型腹膜透析装置１００を搭載して搬送するための可搬型腹膜透析装置用カート１の構造例を説明する。
図１に示すように、可搬型腹膜透析装置用カート１は、左右の主フレーム部２，２と、複数本の連結部材３Ａ，３Ｂ，３Ｃ，３Ｄ，３Ｅと、２つ（１対）の前輪４，４と、これよりも外径が１／２程度の２つ（１対）の後輪５，５と、左右のハンドル部６，６と、上段の第１載置部７と、中段の第２載置部８と、下段の第３載置部９を有している。
左右の主フレーム部２，２は、金属製のパイプから作られており、左右の主フレーム部２，２は、それぞれ第１支持フレーム部１１と第２支持フレーム部１２から構成されている。左側の第１支持フレーム部１１の上端部には、ハンドル部６とブレーキレバー１０が設けられており、右側の第１支持フレーム部１１の上端部にも、ハンドル部６とブレーキレバー１０が設けられている。各ハンドル部６のパイプ部分６Ａは、第１支持フレーム部１１の上端部に差し込まれており、調節ネジ６Ｎを回転して緩めることで、ハンドル部６の高さの調整を行え、再度調製ネジ６Ｎを回転して閉めることで、ハンドル部６の高さを保持できる。
左側の第１支持フレーム部１１の下端部には、前輪４が回転可能に取り付けられており、右側の第１支持フレーム部１１の下端部にも、前輪４が回転可能に取り付けられている。しかも２つの前輪４は、可搬型腹膜透析装置用カート１を方向転換するために転回できる。各第２支持フレーム部１２の上端部１２Ａは、第１支持フレーム部１１の上端位置に連結されている。
【００２０】
図１に示すように、連結部材３Ａは、左右の第１支持フレーム部１１，１１の上端部を連結しており、連結部材３Ｂは、左右の第１支持フレーム部１１，１１の下端部を連結している。連結フレーム３Ｃは、左右の第２支持フレーム部１２，１２の上端部を連結している。各連結フレーム３Ｄは、第１支持フレーム部１１の下端部と第２支持フレーム部１２の下端部を連結している。連結部材３Ｅは、左右の第１支持フレーム部１１，１１の中間部を連結している。
このように、可搬型腹膜透析装置用カート１の左右の主フレーム部２，２は、連結部材３Ａ，３Ｂ，３Ｃ，３Ｄ，３Ｅを用いて連結により補強されている。このため、可搬型腹膜透析装置用カート１は、重量物である可搬型腹膜透析装置１００の載置と搬送はもちろんのこと、必要に応じて無菌接合装置２００等の載置と搬送を、必要に応じて同時に行うことができる。
【００２１】
図１に示すように、左右のハンドル部６は、それぞれ握り部６Ｂを有している。各ハンドル部６のパイプ部分６Ａには、ブレーキレバー１０の支持部６Ｃが固定されている。ブレーキレバー１０は、被覆部材で覆われたワイヤー部材１０Ａを介して、後輪５に配置されたブレーキシュー（図１では図示せず）に連結されている。これにより、介護施設等の職員または患者自身が、ブレーキレバー１０を矢印ＲＺ方向に引き上げることにより、後輪５の回転を止めて、可搬型腹膜透析装置用カート１の動きを停止させるようになっている。
【００２２】
次に、図１から図３に示す第１載置部７と、第２載置部８と、そして第３載置部９の構造例について、順次説明する。第１載置部７は、左右の主フレーム部２，２の最上段に位置され、第２載置部８は中段に位置され、そして第３載置部９は下段に位置されている。第１載置部７は、無菌接合装置２００を搭載する部分であり、第２載置部８は、可搬型腹膜透析装置１００を搭載する部分であり、そして第３載置部９は、透析液の排液を収容する排液バッグＨＴを搭載する部分である。
まず、図１から図３に示す第１載置部７の構造例を説明する。
第１載置部７は、ハンドル部６と同じ程度の高さ位置に水平になるように設けられている。第１載置部７は、台座２０と、この台座２０の上に置かれた例えば金属製の長方形状の載置板２１を有している。台座２０は、軽量化のためにパイプ状の２本の長い支柱２０Ａと２本の短い支柱２０Ｂと、長方形の支持枠体２０Ｃを有している。支持枠体２０Ｃは、載置板２１を保持している。
【００２３】
支持枠体２０Ｃの四隅部分は、２本の長い支柱２０Ａと２本の短い支柱２０Ｂの上端部に連結されている。２本の長い支柱２０Ａの下端部は、対応する位置の第１支持フレーム部１１の下端部に連結され、２本の短い支柱２０Ｂの下端部は、対応する位置の第１支持フレーム部１１の上端部に連結されている。
なお、図２に示すように、台座２０の下部には、ポケット部２９が設けられている。このポケット部２９には、透析液バッグや、その他の物を収容しておくことができる。
【００２４】
図２に示すように、このような構造を有する第１載置部７の載置板２１の上には、例えば無菌接合装置２００等が載置できる。ただし、図２に示すように、この無菌接合装置２００等が、可搬型腹膜透析装置用カート１の移動中に位置ずれしないようにするために、載置板２１は断面凹型に形成されていて、載置板２１の四辺部分は盛り上げ部分２１Ａとなっている。これにより、無菌接合装置２００等が、可搬型腹膜透析装置用カート１の移動中に位置ずれしたり、落下するのを防止している。
【００２５】
次に、図１に示す第２載置部８の構造例と説明する。
図１に示すように、第２載置部８は、金属製あるいはプラスチック製の板状で長方形状の部材であり、連結部材３Ｃ、３Ｅにより水平になるように固定されている。第２載置部８は、例えば可搬型腹膜透析装置１００を載置するために設けられている。図１と図２に示すように、第２載置部８の後側である左右のハンドル部６側は、可搬型腹膜透析装置１００を出し入れし易いように、開放されている。
【００２６】
図４と図１に示すように、この第２載置部８の四隅位置には、可搬型腹膜透析装置１００が可搬型腹膜透析装置用カート１の移動中に位置ずれしないようにするために、好ましくは位置決め用の穴部８Ａを有している。この位置決め用の穴部８Ａは例えば円形状の穴である。この可搬型腹膜透析装置１００の底面には、四隅部分に突起部１００Ｗが設けられている。この突起部１００Ｗは、円柱状の部材である。
しかし、位置決め用の穴部８Ａと突起部１００Ｗの形状はこれに限らず、他の形状を選択することもできる。位置決め用の穴部８Ａと突起部１００Ｗの数は、４つの限らず、２つ以上であれば良い。
第２載置部８上に可搬型腹膜透析装置１００を置くと、これらの突起部１００Ｗが、位置決め用の穴部８Ａ内にそれぞれはまり込むようになっている。これにより、重量物である可搬型腹膜透析装置１００が、可搬型腹膜透析装置用カート１上で位置決めして着脱可能に固定でき、可搬型腹膜透析装置用カート１の移動中に第２載置部８上で位置ずれしたり、第２載置部８上から万が一にも落下しないようになっている。このため、可搬型腹膜透析装置１００が損傷したり、故障するのを防いでいる。
ここで、好ましくは、突起部１００Ｗの一つの突起部１００Ｗ−１は内蔵バネにより可搬型腹膜透析装置１００内周に出没するようにして、深く装置内に入り込んだ際には、その上死点に接点があり、スイッチがオンする構成とすることができる。
他方位置決め用の穴部一つの穴部８Ａ−１はきわめて浅い穴として、可搬型腹膜透析装置１００が可搬型腹膜透析装置用カート１にスイッチがオンされるようにすることができる。このスイッチが、後述する図６における検知部１２３であり、この検知部からのオン信号により、可搬型腹膜透析装置１００が後述する搬送運転モードに入る構成としても良い。
【００２７】
次に、図１から図３に示す第３載置部９の構造例を説明する。
第３載置部９としては、図１から図３に示すように排液収納容器である排液タンクＨＴを支持するために、例えば網状の棚を用いている。
第３載置部９は、４本の吊り下げ部材９Ａ１，９Ａ２，９Ａ３，９Ａ４により左右の主フレーム部２，２に対して固定されている。排液収納容器ＨＴは、例えば排液の状態を見て確認できるように、透明のプラスチック製の可撓性のバッグまたはある程度の強度を有するタンク（容器）である。前者の場合、排液をいったんトイレ等に流した後、折り畳んで廃棄でき、後者の場合、排液をいったんトイレ等に流した後も繰り返し使用できる。
【００２８】
図２と図３に示すように、重量物である排液タンクＨＴは、可搬型腹膜透析装置用カート１の最も下位に位置されている第３載置部９上に、ハンドル部６側から矢印Ｋ１方向に沿って載せたり、逆に矢印Ｋ２方向に降ろしたりることができる。第３載置部９の左右のハンドル部６側では、吊り下げ部材９ＡＡ１と９Ａ２との間、９Ａ３と９Ａ４との間は、排液タンクＨＴの幅よりも２割〜５割程度大きく離間することで、排液タンクＨＴの積み下ろし作業に邪魔にならいないように設けられている。これにより、排液タンクＨＴを第３載置部９に載せたり、第３載置部９から降ろす動作が容易にできる。
しかも、排液タンクＨＴは、最下段の第３載置部９に載せることで、可搬型腹膜透析装置用カート１の重心が下がるので、可搬型腹膜透析装置１００と無菌接合装置２００を載せた可搬型腹膜透析装置用カート１の走行時の走行安定性と停止時の安定性を確保できる。ただし、第３載置部９は、網状の棚ではなく、プラスチックや金属の板状の部材であっても良い。
【００２９】
次に、図１から図３を参照して、吊り下げ具３０，３１について説明する。
図２と図３に例示するように、吊り下げ具３０，３１は、透析液が１０００ｍＬ〜２０００ｍＬ収納された透析液バッグＢＧをそれぞれ着脱可能に吊り下げる掛止手段である。吊り下げ具３０，３１は、透析液バッグＢＧをそれぞれ着脱可能に吊り下げるために、第１載置部７の台座２０に取り付けられている。
３つの吊り下げ具３０が、第１載置部７の台座２０の右側に取り付けられている。同様にして、３つの吊り下げ具３１が、第１載置部７の台座２０の左側に取り付けられている。吊り下げ具３０，３１の配置位置は、好ましくは第２載置部８に載置されている可搬型腹膜透析装置１００の高さ位置よりも高くなるようにしている。これにより、縦方向に長い透析液バッグＢＧを、可搬型腹膜透析装置用カート１の左右の重量バランスを取りながら第１載置部７の台座２０の左右位置に取り付けることができる。
吊り下げ具３０，３１は、同じ形状のものであるが、それぞれ必要に応じて、例えば吊り下げようとする透析液バッグＢＧの薬液の種類に応じて、吊り下げ具３０，３１の設置数を増減したり、異なる色の吊り下げ具３０，３１を取り付けることができる。これにより、介護従事者あるいは患者自身は、どの種類の透析液バッグＢＧをどの吊り下げ具３０，３１に吊り下げれば良いかが明確に判る。
【００３０】
図２と図３に示すように、透析液バッグＢＧは、第１載置部７の台座２０の右側に最大で３つ、第１載置部７の台座２０の左側に最大で３つ吊り下げることができる。このように、重量物である複数の透析液バッグＢＧは、第１載置部７の台座２０の右側と左側に振り分けて吊り下げる構造になっている。これにより、図３に示すように、可搬型腹膜透析装置用カート１を前進方向ＦＷに前進させたり、後退方向ＢＷに後退させる際に、可搬型腹膜透析装置用カート１は、左右の重量バランスが得られるので、安定して走行させることができる。
ここで、本発明の実施形態では、可搬型腹膜透析装置用カート１における右側とは、可搬型腹膜透析装置用カート１を前進方向ＦＷに前進させる際の右方をいい、可搬型腹膜透析装置用カート１における左側とは、可搬型腹膜透析装置用カート１を前進方向ＦＷに前進させる際の左方をいう。
【００３１】
図２に示すように、可搬型腹膜透析装置用カート１には、任意の位置に各種の集積用のフック部４０，４１，４２が、設けられている。各フック部４０，４１，４２は、各種の薬液チューブ１３２，１３３，１３４をまとめて保持するためのチューブ保持部材である。フック部４０は、例えばハンドル部６の付近に設けられ、フック部４１は、第２載置部８付近に設けられ、そしてフック部４２は、第２載置部８の下部に設けられている。
これにより、複数本の薬液チューブ１３２，１３３，１３４を取り回して保持することが簡単にできる。そして、可搬型腹膜透析装置用カート１を第２載置部８に載せたり降ろしたりする際に、複数本の薬液チューブ１３２，１３３，１３４の存在が邪魔にならない。また、排液バッグＨＴを第３載置部９に載せたり降ろしたりする際に、複数本の薬液チューブ１３２，１３３，１３４の存在が邪魔にならない。ただし、フック部の設定数や設定位置は、任意に選択できる。
【００３２】
また、図３に示すように、可搬型腹膜透析装置用カート１の前側には、フック部１３９が設けられている。このフック部１３９は、可搬型腹膜透析装置１００のＡＣ商用電源コード１４０をまとめて掛けて保持するための電源コード保持部材である。
このフック部１３９は、可搬型腹膜透析装置用カート１の前面側に装備されている。このフック部１３９を装備しておくことにより、可搬型腹膜透析装置用カート１の第２搭載部８上に可搬型腹膜透析装置１００を搭載して搬送する際に、商用交流電源から取り外した長い電源コード１４０とその電源プラグを、可搬型腹膜透析装置用カート１の前面側であって、しかも可搬型腹膜透析装置１００の背面側において、きれいに納める保持することができる。
従って、介護施設等の職員や患者自身が、可搬型腹膜透析装置用カート１に可搬型腹膜透析装置１００を搭載して搬送する際に、長い電源コード１４０が邪魔にならないので、可搬型腹膜透析装置１００の搬送をより容易に行える。
【００３３】
次に、図５を参照して、図２示すように第２載置部８に載置される可搬型腹膜透析装置１００の構造例を説明する。
図５は、可搬型腹膜透析装置１００の構造例を示している。可搬型腹膜透析装置１００は、上筐体部１０２と下筐体部１０３を有している。上筐体部１０２の中央には、カラー液晶表示部１１０が配置されている。上筐体部１０２の左右位置には、開始スイッチ１１１と停止スイッチ１１２が配置されている。
図５に示すように、下筐体部３は、蓋部材１０１を備えており、この蓋部材１０１を開けることにより、カセット装着部１０４が露出する。下筐体部３のカセット装着部１０４内には、カセットＣＴが着脱可能にＳＳ方向に沿って装着できるようになっている。カセットＣＴを下筐体部３内に装着した後は、蓋部材１０１を閉じることにより、可搬型腹膜透析装置１００は図２に示す使用状態になる。  
【００３４】
図５に示すこのカセットＣＴは、プラスチックにより作られている筐体部１１２を有しており、筐体部１１２は、ポンプ部１１３と、加温部１１４と、チューブ流路の切換部１１５を備える。筐体部１１２はほぼ平板型の部材であり、ポンプ部１１３は、筐体部１１２に固定されている。ポンプ部１１３は、腹膜透析液を送液するための駆動力を発揮するもので、ダイヤフラムポンプ等が使用される。ダイヤフラムポンプとは、フランジ部材により密閉状態で収容され、空気圧で加圧又は減圧される構造のものを指す。
これにより、ダイヤフラムポンプは、腹膜透析液を送液するために、加圧すると収縮し、減圧すると膨張する。
【００３５】
図５に示すチューブ流路の切換部１１５は、筐体部１１２においてポンプ部１１３の横の位置に、固定されている。図１に示す上筐体部１０２の内部の下部には、複数のクランプ部（図５では図示せず）が設けられており、これらのクランプ部材は、チューブ流路の切換部１１５の対応する流路を適宜押すことで、腹膜透析液が通る流路の切り換えが行える。これにより、チューブ流路の切換部１１５は、カセットＣＴ内に配置された透析液流路の途中部分を、図１に示す可搬型腹膜透析装置１００の上筐体部２内に配置されたクランプ部により押さえることにより、腹膜透析液の流路を切替えて、注液処理用の流路と排液処理用の流路を切り換えることができる。図５に示す加温部１１４は、流路１１６を通る腹膜透析液を加温できる。
【００３６】
図５に示すように、チューブ１３１〜１３４の各一端部は、カセットＣＴ側に接続されている。チューブ１３１〜１３４の他端部が接続される接続対象例を、図５を参照して説明すると、例えば、チューブ１３１は、透析患者ＭＭの腹腔に対して接続され、透析患者ＭＭの腹腔に対して腹膜透析液を注液したり、透析患者ＭＭの腹腔から腹膜透析液を排液するのに用いられる。チューブ１３２は、腹膜透析液の追加注液用の透析液バッグＢＧに接続され、チューブ１３３は、複数の腹膜透析液の注液用の透析液バッグＢＧに接続されている。チューブ１３４は、使用済みの透析液を溜めておくための排液タンクＨＴに接続されている。
【００３７】
図６は、可搬型腹膜透析装置１００の電気的な構成例を示すブロック図を示している。
図６を参照すると、可搬型腹膜透析装置１００は、制御部４００と、ポンプ駆動部４０１と、クランプ制御部４０２と、加温制御部４０３と、クランプ部４０４と、音声発生部としてのスピーカ４１０を有している。制御部４００は、マイクロコンピュータなどのＣＰＵ（中央処理装置）と、このＣＰＵにより実行される装置全体の制御・判断を行うための制御プログラムや各種データを記憶するＲＯＭと、ワークエリアとして測定データや各種データを一時的に記憶するＲＡＭ等とを備える。なお、図示のメモリ１２２は、個々の患者向けに個別に処方・設定された透析手順が書き込み・読み出し可能とされた記憶領域であり、外部からのアクセスにより都度書き込み可能であり、可搬型腹膜透析装置１００の運転時には、メモリ１２２から、使用者としての患者に適した透析手順（稼働シーケンス）が読み出されるようになっている。
また、図２に示すように、可搬型腹膜透析装置１００の表面の適所には、搬送運転モードの起動のための搬送スイッチＳＷ１２４が設けられていて、後述する搬送運転モードを任意に開始させることができるようになっている。なお、これに替え、／これに加えて、図６に示す検知部１２３を設けることもできる。これは、例えば、後述するように、搬送装置と協働して、可搬型腹膜透析装置１００を図２のように搬送装置であるカート１に載せると、自動的に「搬送運転モード」に入るように構成することもできる。
また、メモリ１２２には、後述する「搬送運転モード」に必要とされるソフトウエア等のデータが記録されている。
なお、可搬型腹膜透析装置１００が搬送運転モードに入ったと判断されるときには、後述するバッテリからスリープモードでの駆動電流が供給されて、その時の透析モードにおける途中で透析運転を停止し、停止した時点の透析の進行状態が記憶され、再度、電源プラグが差し込まれた時にから、続きの透析モードが進行できるようにされる。
図６に示すように、カセットＣＴは、可搬型腹膜透析装置１００のカセット装着部１０４（図５を参照）内に着脱可能に装着されるのであるが、カセットＣＴ内には、既に図５を参照して説明したように、チューブ流路の切換部１１５と、ポンプ部１１３と、注液の加温部１１４を内蔵している。
【００３８】
図５に示すように、可搬型腹膜透析装置１００に設けられたクランプ部１１９は、カセットＣＴ側のチューブ流路の切換部１１５に配置されている各チューブ１３１〜１３４の流路を選択的に押さえることで、透析液の流れる流路を切り換えることができる。これにより、透析液を患者ＭＭの腹腔側に送液したり、いったん腹腔に貯留された透析液を排液する。
図５に示すカセットＣＴがカセット装着部１０４内に装着されると、図６に示すポンプ駆動部４０１は、制御部４００の指令によりポンプ部１１３の動作を制御し、クランプ制御部４０２は、制御部４００の指令によりクランプ部１１９の各クランプ部材の動作を制御する。そして加温制御部４０３は、制御部４００の指令により注液の加温部１１４の動作を制御する。
図６に示すように、可搬型腹膜透析装置１００に電源供給するための電源コード１４０は、電源プラグ１９１を有しており、この電源プラグ１９１は、例えば介護施設における患者ＭＭの居室に配置された商用交流電源ＡＳのコンセント１９２に接続されている。この電源プラグ１９１は、このコンセント１９２から抜いて、例えば介護施設のリビングに配置された商用交流電源ＡＳの別のコンセント１９３に接続することもできる。このように、可搬型腹膜透析装置１００は、電源プラグ１９１を患者ＭＭの居室のコンセント１９２あるいはリビングのコンセント１９３に接続することで、電源供給を受けることができる。
好ましくは、電源プラグ１９１からの給電線は、可搬型腹膜透析装置１００の内蔵バッテリ１２１に接続されて、このバッテリ１２１が、停電時や移動時等で電源プラグ１９１を介してＡＣ商用電源が使用できない場合に、可搬型腹膜透析装置１００の駆動電源として利用されるようになっている。該バッテリ１２１を介して、信号線が制御部４００に接続されており、これにより制御部４００は、電源プラグ１９１がコンセント１９３に差し込まれたことと、引き抜かれたことをそれぞれ検出できるようになっている。
バッテリ１２１は、好ましくは二次電池で、電源プラグ１９１から給電されている状態では、充電されるようになっている。
なお、制御部４００には、タイマーが内蔵されており、これにより、透析シーケンスの実行が時間的に監視されるだけでなく、特に、後述するように搬送運転モードに入ったことを電源プラグ１９１の引き抜きにより検知してから、一定時間の間に再度電源プラグ１９１が差し込まれない限り、当該電源プラグ１９１の引き抜きが、「搬送運転モード」の実行のためであると判断したことは誤りであるとして、当該運転モードをキャンセルし、可搬型腹膜透析装置１００の透析処理の動作を一時停止させるようになっている。この「搬送運転モード」をキャンセルするか否かを判断するための前記一定時間は、例えば、５分から１０分とすることができる。５分以下であると、電源プラグ１９１の引き抜きが、当該患者にとっての次回の透析運転ではなく、透析モードの途中で中断された「搬送運転モード」の実行に該当し、引き続き、所定の透析モードの途中からの運転を再開させる必要性が極めて高い。電源プラグ１９１の引き抜きから１０分以上経過している場合には、単なる移動（搬送）でなく、当該患者が外出などの長時間中段により、その時の透析を途中で終わらせたと判断することができるからである。こうして、電源プラグ１９１の引き抜き後に再挿入が、５分以内である場合、電源プラグ１９１によりＡＣ商用電源に再度接続されると、透析処理の動作を自動で再開できるようにすることができる。
【００３９】
次に、図７を参照すると、図７（Ａ）は、複数本のチューブ１３１，１３２，１３３をまとめて保持している様子と、排液収納容器である排液タンクＨＴと、第２載置部８に載置されている可搬型腹膜透析装置１００等を示す斜視である。図７（Ｂ）は、第３載置部９に載置されている排液タンクＨＴや、吊り下げられている透析液バッグＢＧ等を示す斜視図である。
図７（Ａ）に示すように、複数本のチューブ１３１，１３２，１３３は、フック部４０を用いてまとめて保持されている。このフック部４０には、複数本のチューブ１３１，１３２，１３３を配列して取り付ける配列取付け板４１を掛けることができる。
図７（Ｂ）では、排液タンクＨＴが見えないようするために、収容ケース４２と、覆いカバー４３が配置されている。収容ケース４２は、不透明な例えばプラスチック板により作られており、排液タンクＨＴを収容して周囲を囲むことで、排液タンクＨＴの周囲を覆っている。覆いカバー４３は、排液タンクＨＴの上部と前側部分を覆っている。これにより、使用した透析液を収容する排液タンクＨＴが、目に触れないよう覆うことができる。従って、排液が収容される排液タンクＨＴを覆い部材である覆いカバー４３により覆うことができるので、排液タンクＨＴは見えなくなり、排液タンクＨＴの存在を気にしなくて済む。
【００４０】
図８（Ａ）は、第１載置部７には無菌接合装置２００等が載置され、第２載置部８には可搬型腹膜透析装置１００が載置されている載置例を示している。逆に、図８（Ｂ）は、第１載置部７には可搬型腹膜透析装置１００が載置され、第２載置部８には無菌接合装置２００等が載置されている載置例を示している。このように、無菌接合装置２００と可搬型腹膜透析装置１００は、第１載置部７と第２載置部８のいずれかに選択して載置することができる。
また、図８（Ａ）と９（Ｂ）に示すように、第１載置部７と第２載置部８は、矢印ＳＤで示すようにハンドル部６側に、すなわち可搬型腹膜透析装置用カート１の前進方向ＦＷとは反対の方向に、引き出すことができる構造を採用しても良い。これにより、第１載置部７と第２載置部８上に、無菌接合装置２００と可搬型腹膜透析装置１００を載置したり、取り除いたりする作業がさらに容易になる。
【００４１】
次に、上述した可搬型腹膜透析装置１００及び可搬型腹膜透析装置用カート１の使用例としての搬送モード運転を行う例について、図９に示すフロー図と、図１０に示す可搬型腹膜透析装置１００の表示部１１０に表示される報知内容を参照しながら説明する。
図９は、患者が患者自身の居室から、例えばリビングに移動する際に行う可搬型腹膜透析装置１００の搬送モード運転例を示している。図１０（Ａ）と図１０（Ｂ）は、可搬型腹膜透析装置１００の表示部１１０に表示される報知内容の例を示す図である。
まず、図９のステップＳＴ１において、患者が、患者自身の居室から、別の場所である例えばリビングに移動しようとする場合には、可搬型腹膜透析装置１００を可搬型腹膜透析装置用カート１の第２搭載部８に載せて、この可搬型腹膜透析装置用カート１を用いて患者自身の居室からリビングに向けて搬送する必要がある。
【００４２】
そこで、例えば図１から図３に示すように、無菌接合装置２００と可搬型腹膜透析装置１００を、患者の居室から図１１に示す別の場所であるリビングＬＧに搬送するために、患者の居室に置いてある無菌接合装置２００を第１搭載部７に載せると共に、可搬型腹膜透析装置１００を第２搭載部８に載せる。
これにより、図４で説明したように、可搬型腹膜透析装置１００に検知部１２３を設けている場合には、電源プラグ１９１の引抜きと同時に「可搬型腹膜透析装置１００は搬送運転モード」に入ることができる。
あるいは、検知部１２３が存在しなくても、図２で説明した搬送ＳＷ１２４を操作することにより、任意に可搬型腹膜透析装置１００を「搬送運転モード」にすることができ、ＳＷ操作後に電源プラグ１９１が引抜かれると、当該運転モードに入る。
なお、可搬型腹膜透析装置１００は、メモリ１２２から、患者固有の透析モードに関する情報を読み出しており、当該データに基づき透析処理をおこなっている。
この実施形態では、その途中で以下のようにされる。
すなわち、図９のステップＳＴ２において、介護施設等の職員または患者自身が、図６に示す可搬型腹膜透析装置１００の電源コード１４０の電源プラグ１９１を、患者ＭＭの居室に配置された商用交流電源ＡＳのコンセント１９２からいったん抜く。
これにより、図９のステップＳＴ３では、可搬型腹膜透析装置１００ではＡＣ電源の供給がＯＦＦ状態になるので、図６に示す制御部４００は、ポンプ駆動部４０１、クランプ制御部４０２、加温制御部４０３の動作を一時停止する。これにより、患者ＭＭに対する腹膜透析動作は一時停止できる。
既に説明した図６の構成に基づき、電源プラグ１９１の引抜きは制御部４００により検知され、メモリ１２２は、この時点での透析状態を記憶し、保存する。
【００４３】
このようにして電源プラグ１９１がコンセント１９２から抜かれると、図１０（Ａ）に示すように、可搬型腹膜透析装置１００の表示部１１０には、報知内容Ｍ１が表示される。この報知内容Ｍ１としては、「電源が切れました。」、「電源が切れた時刻：２：３０」、「現在の時刻：２：３１」、等が表示される。
しかも、図６に示す制御部４００は、音声による通知手段であるスピーカ４１０を用いて、可搬型腹膜透析装置１００の表示部１１０に表示されている報知内容Ｍ１と同様の内容の、例えば「電源が切れました。」、「電源が切れた時刻：２：３０」を音声で通知する。
これにより、介護施設等の職員や患者自身は、例えば可搬型腹膜透析装置１００の電源が切れたことと、電源が切れた時刻等の報知内容を、目視で確認でき、しかも音声で確実に知ることができる。この時点で、制御部４００のタイマー（図示せず）がスタートして、ｔ１から計時を始める。
【００４４】
その後、図３に示すように、可搬型腹膜透析装置１００と無菌接合装置２００と排液バッグＨＴを、可搬型腹膜透析装置用カート１に載せた状態で、介護施設等の職員や患者自身は、図３に示すハンドル部６を持って押すことで、患者ＭＭの居室から図１１に示すリビングＬＧへ移動する。すなわち、介護施設等の職員や患者自身が、図３に示す左右のハンドル部６の握り部６Ｂを把持して、図３に示す前進方向ＦＷに押すことで、可搬型腹膜透析装置用カート１を押して、例えば患者の居室から移動して、例えば図１１に例示するリビングＬＧ等の居室に移動することができる。図１１は、可搬型腹膜透析装置用カート１が、例えばリビングＬＧにおいて、患者ＭＭの傍に位置された状態を示している。
【００４５】
このように、可搬型腹膜透析装置用カート１を押して可搬型腹膜透析装置１００と無菌接合装置２００と排液タンクＨＴを搬送する際に、図２と図３に示すように、透析液バッグＢＧは、第１載置部７の台座２０の右側に最大で３つ、第１載置部７の台座２０の左側に最大で３つ吊り下げることができる。
この重量物である複数の透析液バッグＢＧは、第１載置部７の台座２０の右側と左側に振り分けて吊り下げる構造になっているので、図３に示すように、可搬型腹膜透析装置用カート１を前進方向ＦＷに前進させたり、後退方向ＢＷに後退させる際に、左右の重量バランスが得られるので、安定して走行させることができる。
【００４６】
しかも、図２に示すように、可搬型腹膜透析装置用カート１の各フック部４０，４１，４２は、各種の薬液チューブ１３２，１３３，１３４をまとめて保持する。これにより、複数本の薬液チューブ１３２，１３３，１３４を取り回して保持することが簡単にできる。そして、可搬型腹膜透析装置用カート１を第２載置部８に載せたり降ろしたりする際に、複数本の薬液チューブ１３２，１３３，１３４の存在が邪魔にならない。また、排液タンクＨＴを第３載置部９に載せたり降ろしたりする際に、複数本の薬液チューブ１３２，１３３，１３４の存在が邪魔にならない。
【００４７】
このように、可搬型腹膜透析装置用カート１に対する準備した後に可搬型腹膜透析装置用カート１を押して移動することができるので、患者ＭＭは、例えば図１１に示すようにリビングＬＧにおいて、車いす５００に座った状態で、可搬型腹膜透析装置用カート１は、患者ＭＭの傍に配置することができる。
その後、図９のステップＳＴ４において、介護施設等の職員または患者自身が、図６に示す可搬型腹膜透析装置１００の電源コード１４０の電源プラグ１９１を、介護施設におけるリビングＬＧに配置された商用交流電源ＡＳのコンセント１９２に差し込む。
この時点で、「搬送運転モード」は終了し、制御部４００に内蔵されたタイマーもｔ１からの計時を終了する。
これにより、図９のステップＳＴ５では、可搬型腹膜透析装置１００はＡＣ電源の供給がＯＮ状態になるので、図６に示す制御部４００は、ポンプ駆動部４０１、クランプ制御部４０２、加温制御部４０３の動作を一時停止の状態から、メモリ１２２に保存されていたデータに基づいて、その際に実行されていた透析モードの停止時点から再開させることができる。
【００４８】
この電源プラグ１９１がコンセント１９３に差し込まれることで、可搬型腹膜透析装置１００の動作を一時停止状態から再開させると、図１０（Ｂ）に示すように、可搬型腹膜透析装置１００の表示部１１０には、報知内容Ｍ２が表示される。この報知内容Ｍ２としては、「電源が入りました。」、「電源が入った時刻：２：３５」、「現在の時刻：２：３６」、等が表示される。
しかも、図６に示す制御部４００は、スピーカ４１０を用いて、可搬型腹膜透析装置１００の表示部１１０に表示されている報知内容Ｍ２と同様の内容の、例えば「電源が入りました。」、「電源が入った時刻：２：３５」、「現在の時刻：２：３６」を音声で通知する。
【００４９】
これにより、介護施設等の職員や患者自身は、例えば可搬型腹膜透析装置１００の電源が入ったことと、電源が入った時刻を、目で確認できしかも音声で確実に知ることができる。
このように、図１１に示すリビングＬＧにおいて、可搬型腹膜透析装置１００の電源を再投入した状態で、患者ＭＭは、リビングＬＧにおいて、可搬型腹膜透析装置１００を用いて、医師の処方内容に従って透析を受けることができる。しかも、患者ＭＭは、リビングＬＧにおいて、この腹膜透析を受けながら、食事やレクリエーション等の行動を自由に行うことができる。
なお、制御部４００に内蔵されたタイマーは、予め決めた所定時間が計時開始時点ｔ１から経過してしまうと、電源プラグ１９１の引抜きを、可搬型腹膜透析装置１００の使用を完全に中止したとみなして、継続していたスリープ状態を停止し、バッテリ１２１がそれ以上消耗しないようにする。
【００５０】
従って、本発明の実施形態の可搬型腹膜透析装置用カート１を用いることにより、患者が透析中は、患者が食事やレクリエーションのために、可搬型腹膜透析装置１００が載置されている居場所からリビング等に場所を移動することができ、可搬型腹膜透析装置１００の載置場所に拘束されてしまうといった不都合を解消できる。
可搬型腹膜透析装置１００が患者自身の居室の設置棚等に載置されている場合に、可搬型腹膜透析装置１００の電源供給をいったん停止すると、可搬型腹膜透析装置１００の表示部１１０には、電源供給をいったん停止したことを示す報知内容Ｍ１を表示して、しかも電源供給をいったん停止したことを音声で通知できる。
そして、可搬型腹膜透析装置１００が可搬型腹膜透析装置用カート１により居室からリビング等の別の場所に移動されると、リビングＬＧ等の別の場所において、可搬型腹膜透析装置１００の電源を再投入すると、可搬型腹膜透析装置１００の表示部１１０には、電源供給を再開したことを示す報知内容Ｍ２を表示して、しかも電源供給を再開したことを音声で通知できる。
【００５１】
このように、本発明の実施形態の可搬型腹膜透析装置用カート１を用いることにより、介護施設等の職員や患者自身は、安心して可搬型腹膜透析装置１００の搬送と電源の再投入を行うことができる。患者が介護施設等で日常を過ごしている際に、居場所を移動しても、可搬型腹膜透析装置１００を用いて透析を行うことができる。患者（使用者）が介護施設等で日常を過ごしている際に、患者の移動場所に応じて、可搬型腹膜透析装置１００を容易に搬送することができる。
患者（使用者）が、介護施設等で日常を過ごしている際に、患者の居場所の移動に伴って、可搬型腹膜透析装置１００をスムーズに移動して、可搬型腹膜透析装置１００による透析動作を再開することができる。このため、介護施設等の職員や患者自身にとっては、腹膜透析装置の使用勝手が良くなり、患者にとっては拘束感や疎外感が解消でき、患者のストレスを軽減できる。
【００５２】
以上説明したように、本発明の実施形態の可搬型腹膜透析装置１００は、搬送可能であり、透析を行うための可搬型腹膜透析装置であって、可搬型腹膜透析装置１００を、搬送装置に載せて搬送する際に、可搬型腹膜透析装置１００における商用交流電源の供給を絶つと可搬型腹膜透析装置１００の動作を一時停止し、可搬型腹膜透析装置１００における商用交流電源の供給を再開すると可搬型腹膜透析装置１００の動作を再開する構成としている。
これにより、可搬型腹膜透析装置を、搬送装置に載せて搬送する際に商用交流電源の供給を絶つと可搬型腹膜透析装置の動作を一時停止し、商用交流電源の供給を再開すると可搬型腹膜透析装置の動作を再開するようになっている。このため、移動する際には可搬型腹膜透析装置の動作を一時的に停止させて透析を中断させ、移動後は、可搬型腹膜透析装置を動作させる商用交流電源の供給を確実に行って可搬型腹膜透析装置の動作を再開することができる。従って、患者（使用者）が、介護施設等で日常を過ごしている際に、患者の居場所の移動に伴って、移動後の場所で透析動作をスムーズに再開することができる。
【００５３】
可搬型腹膜透析装置１００は、表示部１１０を備え、表示部１１０には、可搬型腹膜透析装置における商用交流電源の供給を絶つと、商用交流電源が供給されていないことを報知する内容を表示し、そして表示部１１０には、可搬型腹膜透析装置１００における商用交流電源の供給を再開すると、商用交流電源が供給されていることを報知する内容を表示する。
これにより、患者（使用者）が、介護施設等で日常を過ごしている際に、患者の居場所の移動があっても、可搬型腹膜透析装置の電源供給の有無を目視で確認でき、移動した後に透析動作を続けて行うことができる
【００５４】
可搬型腹膜透析装置１００は、スピーカ４１０を備え、スピーカ４１０は、商用交流電源が供給されていないことを報知する内容を表示部１１０に表示する際に、商用交流電源が供給されていないことを音声で通知し、スピーカ４１０は、商用交流電源が供給されていることを報知する内容を表示部１１０に表示する際に、商用交流電源が供給されていることを音声で通知する。これにより、患者（使用者）が、介護施設等で日常を過ごしている際に、患者の居場所の移動があっても、可搬型腹膜透析装置の電源供給の有無を音声で確認でき、移動した後に透析動作を続けて行うことができる
【００５５】
搬送装置である可搬型腹膜透析装置用カート１は、可搬型腹膜透析装置１１０を載せる載置部８を備え、可搬型腹膜透析装置１００の底部には、突起部１００Ｗが設けられ、載置部８には、位置決め用の穴部８Ａが設けられている。可搬型腹膜透析装置１００を載置部８に載せると、可搬型腹膜透析装置１００の突起部１００Ｗが、載置部８の位置決め用の穴部８Ａにはまりこむ。これにより、可搬型腹膜透析装置を搬送装置の載置部に載せた状態で搬送する際に、可搬型腹膜透析装置が載置部上で位置ずれするのを防止できるので、安全に可搬型腹膜透析装置を搬送できる。
【００５６】
可搬型腹膜透析装置１００は商用交流電源に接続する電源コード１４０を有し、搬送装置である可搬型腹膜透析装置用カート１には、電源コード１４０を保持する電源コード保持部材（１３９）が設けられている。これにより、可搬型腹膜透析装置１００を搬送装置により搬送する際に、可搬型腹膜透析装置１００の電源コード１４０を搬送装置の電源コード保持部材（１３９）により保持することができるので、電源コード１４０が搬送の際に邪魔になることがなく、可搬型腹膜透析装置をスムーズに搬送できる。
【００５７】
本発明は、上記実施形態に限定されず、特許請求の範囲を逸脱しない範囲で種々の変更を行うことができる。
上記実施形態の各構成は、その一部を省略したり、上記とは異なるように任意に組み合わせることができる。
例えば、図１ないし図３に示す可搬型腹膜透析装置用カート１には、バッテリと電動モータを配置して、電動モータの駆動力により前輪４を駆動する構造を採用しても良い。これにより、可搬型腹膜透析装置用カート１は、重量物である無菌接合装置２００と可搬型腹膜透析装置１００と排液バッグＨＴを搭載しているにもかかわらず、介護施設等の職員や患者自らは、可搬型腹膜透析装置用カート１を容易にしかも安全に移動することができる。
可搬型腹膜透析装置用カート１は、介護施設等の施設の他に、病院や自宅等でしようすることができ、災害時には避難所等の施設でも使用できる。
【符号の説明】
【００５８】
１・・・可搬型腹膜透析装置用カート（搬送装置の例）、４・・・前輪、５・・・後輪、６・・・ハンドル部、７・・・第１載置部、８・・・第２載置部、９・・・第３載置部、１００・・・可搬型腹膜透析装置、１１０・・・可搬型腹膜透析装置の表示部、１３９・・・フック部（電源コード保持部材）、ＣＴ・・・可搬型腹膜透析装置のカセット、ＨＴ・・・排液バッグ、ＢＧ・・・透析液バッグ、Ｍ１、Ｍ２・・・報知内容
【図１】
2015100557.tif 000003
【図２】
2015100557.tif 000004
【図３】
2015100557.tif 000005
【図４】
2015100557.tif 000006
【図５】
2015100557.tif 000007
【図６】
2015100557.tif 000008
【図７】
2015100557.tif 000009
【図８】
2015100557.tif 000010
【図９】
2015100557.tif 000011
【図１０】
2015100557.tif 000012
【図１１】
2015100557.tif 000013